(57)【要約】【課題】キャスク容器内に配置される格子組立体およびこれをキャスク容器内に保持する格子組立体支持部材について構成材の物量低減、構成簡素化および製作容易化等を図り、強度および性能を低コストで得る。【解決手段】燃料収納具１が、ボロン添加ステンレス鋼製板およびアルミニウム合金製板を用いた枠板を縦横に交差させて構成した格子組立体２と、この格子組立体を外側から支持する格子組立体支持部材３と、格子組立体の軸方向両端部に配置されて格子組立体を支持する格子組立体端部支持板６，７と、格子組立体の外周縁側に配置されて格子組立体端部支持板同士を接続する複数の耐食性鋼材製接続部材８と、これらの接続部材に支持されて格子組立体の外周縁に接する複数のアルミニウム合金製伝熱ブロック９とを有する。【選択図】  図３
2008281437.tif 000002
【特許請求の範囲】
【請求項１】
筒状のキャスク容器内に配置される燃料収納具の格子状空間内に、使用済燃料をそれぞれ軸方向に沿って収納する使用済燃料キャスクの燃料収納構造であって、前記燃料収納具は、ボロン添加ステンレス鋼製板およびアルミニウム合金製板を用いた枠板を縦横に交差させて構成した格子組立体と、この格子組立体を外側から支持する格子組立体支持部材とを備え、前記格子組立体支持部材は、前記格子組立体の軸方向両端部に配置されて前記格子組立体を支持する耐食性鋼材製の格子組立体端部支持板と、前記格子組立体の外周縁側に配置されて前記格子組立体端部支持板同士を接続する複数の耐食性鋼材製接続部材と、これらの接続部材に支持されて前記格子組立体の外周縁に接する複数のアルミニウム合金製伝熱ブロックとを有することを特徴とする使用済燃料キャスクの燃料収納構造。
【請求項２】
前記格子組立体は、ボロン添加ステンレス鋼製板とアルミニウム合金製板とを重ね合わせた重合枠板同士を交差させ、または前記重合枠板の一部を前記ボロン添加ステンレス鋼製板のみからなる単板枠板に置換えて構成した請求項１記載の使用済燃料キャスクの燃料収納構造。
【請求項３】
前記格子組立体支持部材は、前記接続部材に鍔状に取付けられて前記格子組立体の外周面を周方向に沿って支持する複数の耐食性材鋼材製の水平支持部材と、これらの水平支持部材間に交差配置で保持され前記格子組立体の外周面を軸方向に沿って支持する複数の耐食性材鋼材製の縦支持部材とを備えた請求項１または２記載の使用済燃料キャスクの燃料収納構造。
【請求項４】
前記格子組立体支持部材の外周面側の形状と、前記キャスク容器の内周面側の形状とを一致させ、これらの一致した形状部分により、前記格子組立体支持部材を前記キャスク内に位置決め支持させる構成とした請求項１ないし請求項３のいずれか１項記載の使用済燃料キャスクの燃料収納構造。
【発明の詳細な説明】
【技術分野】
【０００１】
本発明は原子炉で使用された使用済燃料を遮蔽および未臨界状態で収納するための使用済燃料キャスクの燃料収納構造に係り、特に構成材の物量低減、構成簡素化および製作容易化等を図った使用済燃料キャスクの燃料収納構造に関する。
【背景技術】
【０００２】
原子炉で使用された使用済燃料の運搬および貯蔵等には、放射線遮蔽機能を有する筒状の使用済燃料キャスクが適用される。この使用済燃料用キャスクには、その用途に応じて全使用期間を通じての構造健全性や内部雰囲気の密封性を確保するとともに、その燃料収納構造により使用済燃料装荷時の未臨界性の確保や、崩壊熱による燃料の過熱による破損に至らないよう伝熱性を確保する必要がある。
【０００３】
図８は、使用済燃料キャスクの一例を示す概略断面図である。図８に示すように、使用済燃料キャスク１０１は円筒状のキャスク容器１０２を備えており、このキャスク容器１０２は鋼製の外筒１０２ａ、遮蔽材製の内筒１０２ｂおよび蓋１０２ｃ等により密封構造とされている。このキャスク容器１０２内には図８に仮想線で示すように、使用済燃料キャスク用燃料収納具１０３が配置され、この燃料収納具１０３に形成された格子状の保持部に複数本の燃料が個々に収納保持される。
【０００４】
使用済燃料キャスクの燃料収納構造についての提案としては、キャスク容器内に複数本の角筒材を収納し、これら角筒材の外面同士を互いに合わせて積層配置することにより角筒集合体を構成し、この角筒集合体の外周部を割筒状のサポート部材によって覆うことにより固定する構成のものがある（例えば、特許文献１参照）。この技術においては、角筒材集合体の上面にそれぞれ挿入口を有する上板を取付けるとともに、下面に底板を取付け、角筒材に角筒集合体の下面に取付けられた底板とを備えている。
【特許文献１】特開平９−１５９７９６号公報
【発明の開示】
【発明が解決しようとする課題】
【０００５】
上述した従来技術における使用済燃料キャスクの燃料収納構造においては、実機適用に当たって重量制限があるため、ほとんどの部材をボロン添加アルミニウムを含むアルミニウム合金等の軽合金で製作する必要があり、材料費が高コストであるため、材料費の削減が課題であった。
【０００６】
また、従来技術においては、格子組立体とキャスク容器との間の空間をすべてサポート部材で満たすことにより、格子組立の形状を保持する機能および燃料収納具とキャスク容器との間の伝熱性能確保の機能を兼用する構成となっていた。この構成では前記空間内に隙間なくサポート部材を配置することから多くの物量が必要であり、この点からも材料費が高コスト化していた。
【０００７】
一方、高残留出力で大型の使用済燃料を原子炉から取出した後には、冷却期間を短期間として取り扱うための要求が高まるとともに、内部温度の上昇や荷重の増大に耐え得る燃料体の収納構造が求められている。
【０００８】
本発明は上述した課題を解決するためになされたものであり、キャスク容器内に配置される格子組立体およびこれをキャスク容器内に保持する格子組立体支持部材について、構成材の物量低減、構成簡素化および製作容易化等を図り、要求される強度および性能を低コストで得ることができる使用済燃料キャスクの燃料収納構造を提供することを目的とする。
【課題を解決するための手段】
【０００９】
前記の目的を達成するため、本発明では、筒状のキャスク容器内に配置される燃料収納具の格子状空間内に、使用済燃料をそれぞれ軸方向に沿って収納する使用済燃料キャスクの燃料収納構造であって、前記燃料収納具は、ボロン添加ステンレス鋼製板およびアルミニウム合金製板を用いた枠板を縦横に交差させて構成した格子組立体と、この格子組立体を外側から支持する格子組立体支持部材とを備え、前記格子組立体支持部材は、前記格子組立体の軸方向両端部に配置されて前記格子組立体を支持する格子組立体端部支持板と、前記格子組立体の外周縁側に配置されて前記格子組立体端部支持板同士を接続する複数の耐食性鋼材製接続部材と、これらの接続部材に支持されて前記格子組立体の外周縁に接する複数のアルミニウム合金製伝熱ブロックとを有することを特徴とする使用済燃料キャスクの燃料収納構造を提供する。
【発明の効果】
【００１０】
本発明によれば、使用済燃料を収納保持する手段を、ボロン添加ステンレス鋼製板およびアルミニウム合金製板を用いて縦横に交差させた格子組立体としたことにより、簡易かつ組立の容易な構成として一体化することができるとともに、この格子組立体を外側から支持してキャスク容器内に支持する手段を、格子組立体の軸方向両端部に対向配置された格子組立体端部支持板、これらの格子組立体端部支持板間に連結されて格子組立体の周囲に配置された接続部材、これらの接続部材に支持されて格子組立体の外縁に接するアルミニウム合金製の伝熱ブロックにより構成したことにより、格子組立体とキャスク容器との間の空間に構成部材を満たす必要が無く、物量を大幅に削減することが可能となり、低コストの燃料収納具を提供することができる。
【００１１】
また、格子組立体の形状を保持するための格子形状保持機能については、格子組立体自体を構成するボロン添加ステンレス鋼板製の枠板と、格子組立体支持部材を構成する耐食性鋼材製の格子組立体端部支持板と、格子組立体の外周縁側に配置されて格子組立体端部支持板同士を接続する複数の耐食性鋼材製接続部材とにより担保させ、一方、燃料収納具とキャスク容器との間の伝熱性能を確保するための伝熱性能確保機能を伝熱ブロックにより担保させる構成としている。このように、格子組立体の格子形状保持機能と、燃料収納具・キャスク容器間の伝熱性能確保機能とを、互いに分割して担保させることによって、構成材の物量低減、構成簡素化および製作容易化等を図り、要求される強度および性能を低コストで得ることができる。
【発明を実施するための最良の形態】
【００１２】
以下、本発明に係る使用済燃料キャスクの燃料収納構造の実施形態について、図面を参照して説明する。
【００１３】
図１は本発明の一実施形態に適用する使用済燃料キャスクの燃料収納具を一部断面として示す全体側面図である。図２は図１のＡ−Ａ線に沿う横断面図であり、図３は図２の一部を拡大して示す拡大断面図である。図４は図１のＢ−Ｂ線に沿う横断面図で、図２と異なる部位の断面構成を示している。図５は図２に示した格子組立体の構成部材を示す分解斜視図である。図６は本実施形態による燃料収納具をキャスク容器に収納した状態を示す横断面図である。
【００１４】
図１および図２に示すように、本実施形態の燃料収納具１は燃料収納空間を区画するための格子組立体２と、この格子組立体２を外側から支持する格子組立体支持部材３とを備え、全体として使用済燃料キャスク（図８参照）の内面形状に対応する円筒状をなす構成とされている。なお、図１には円筒状の燃料収納具１の軸心を垂直方向に向けた配置で示してあり、以下この方向（図１のｚ方向）を垂直方向、これと直交する方向（図１，図２のｘ，ｙ方向）を水平方向として説明する。
【００１５】
図１および図２において、格子組立体２は複数枚の幅広な枠板（以下、「大型板枠」という。）４を一定の間隔で一方向（図２のｙ方向）に平行に配置し、これらの大型板枠４の板面と直交する方向（図２のｘ方向）に複数枚の幅狭な枠板（以下、「小型板枠」という。）５を交差させて配置した組立体として構成されている。
【００１６】
大型板枠４のうち、燃料収納具１の中央位置に配置されるものは、燃料収納具１の直径に近い最も大幅な幅寸法を有している。また、燃料収納具１の周辺側に配置される各大型板枠４の幅寸法は、周辺に配置されるに従って順次に小さくなっている。これに対し、小型板枠５の幅は全て大型板枠４の間隔寸法と同一となっている。大型板枠４および小型板枠５の軸方向長さ（図１のｚ方向の長さ）は、使用済燃料を収容し得る長さに設定されている。この構成により、図１および図２に示すように、格子組立体２には平面視で正方形状をなす複数の燃料収納室１００が大型板枠４と小型板枠５とにより区分して形成されている。
【００１７】
図３には、格子組立体２の構成を詳細に示してある。図３に示すように、本実施形態では、格子組立体２を構成する大型板枠４および小型板枠５が、この格子組立体２の周辺に配置されているものを除き、全てボロン添加ステンレス鋼板（ＢＳＵＳ板）とアルミニウム合金板（Ａｌ合金板）との重合枠板により構成されている。ボロン（Ｂ）は中性子吸収材であり、ステンレス鋼（ＳＵＳ）は剛性材である。したがって、ボロン添加ステンレス鋼板は格子内に収納される使用済燃料が臨界となることを防止する機能を発揮するとともに、強度保持機能を発揮することができる。また、アルミニウム合金（Ａｌ合金）は伝熱機能を有し、格子の伝熱パスを確保する機能を有する。
【００１８】
以下の説明においては、大型板枠４を構成するボロン添加ステンレス鋼板を「ボロン添加ステンレス鋼板（大）１２」と称し、アルミニウム合金板を「アルミニウム合金板（大）」１３と称する。また、小型板枠５を構成するボロン添加ステンレス鋼板を「ボロン添加ステンレス鋼板（小）１４」と称し、アルミニウム合金板を「アルミニウム合金板（小）１５」と称する。
【００１９】
図３において、格子組立体２の大型板枠４を構成するボロン添加ステンレス鋼板（大）１２は、枠周辺側の一部を除き、平行に近接配置した２枚ずつの重合枠板を１組として配列してある。これら２枚１組の大型板枠４は、それぞれ燃料収納室１００に面する側にボロン添加ステンレス鋼板（大）１２を向けた配置とし、重合枠板同士が対向する裏面側にはアルミニウム合金板（大）１３を向けた配置としてある。枠周辺側の大型板枠４（４ａ）はボロン添加ステンレス鋼板（大）１２の単体枠板としてある。
【００２０】
同様に、小型板枠５を構成するボロン添加ステンレス鋼板（小）１４およびアルミニウム合金板（小）１５についても枠周辺側の一部を除いて互いに接近した２枚ずつの重合枠板を１組として配列してあり、それぞれ燃料収納室１００に面する側にボロン添加ステンレス鋼板（小）１４を向け、重合枠板同士が対向する裏面側にはアルミニウム合金板（小）１５を向けた配置としてある。枠周辺側の小型板枠５（５ａ）はボロン添加ステンレス鋼板（小）１４の単体板枠としてある。以上の構成により、中性子吸収材であるボロン添加ステンレス鋼板（大）１２およびボロン添加ステンレス鋼板（小）１４が使用済燃料側に配置され、格子組立体２の形状が保持される。
【００２１】
また、２枚１組の互いに接近した大型板枠４同士の間には、垂直な格子間縦部材２０が大型板枠４と同一高さで組立てられるとともに、水平な格子間横部材３０が上下方向に一定間隔をあけて組立てられている。これらの格子間縦部材２０および格子間横部材３０はアルミニウム合金等により構成してあり、ボロン添加ステンレス鋼板（大）１２、アルミニウム合金板（大）１３、ボロン添加ステンレス鋼板（小）１４およびアルミニウム合金板（小）１５により構成される燃料収納室１００同士の間のスペースに、燃料収納室１００間の隙間寸法を保って未臨界性を担保することを可能としている。
【００２２】
図５には、大型板枠４を構成する１対のボロン添加ステンレス鋼板（大）１２およびアルミニウム合金板（大）１３と、小型板枠５を構成する１対のボロン添加ステンレス鋼板（小）１４およびアルミニウム合金板（小）１５と、格子間縦部材２０および格子間横部材３０とがそれぞれ分解状態で示されている。
【００２３】
大型板枠４を構成するボロン添加ステンレス鋼板（大）１２およびアルミニウム合金板（大）１３の板面には、互いに重合する位置に縦溝状の孔２１，２２がそれぞれ穿設されている。また、これらの孔２１，２２に対応する配置で、小型板枠５を構成するボロン添加ステンレス鋼板（小）１４およびアルミニウム合金板（小）１５の縁部の互いに重合する位置に、凸部２３，２４が形成されている。そして、これらの凸部２３，２４を孔２１，２２に嵌合して連結することにより、大型板枠４と小型板枠５とが組合い、図１〜図３に示すように、複数の燃料格納部を有する格子組立体２が形成される。
【００２４】
また、格子間縦部材２０および格子間横部材３０の互いに向合う側縁部には、それぞれ噛合い溝２０ａ，３０ａが形成されており、これらの噛合い溝２０ａ，３０ａを介して格子間縦部材２０と格子間横部材３０とを縦横に十文字状に交差させて噛み合せることができるようになっている。また、格子間縦部材２０の両側縁には凸部２６が形成される一方、大型枠板４を構成するボロン添加ステンレス鋼板（大）１２およびアルミニウム合金板（大）１３には格子間縦部材２０の凸部２６を挿入できる孔２７，２８が形成されている。そこで、噛合い溝２０ａ，３０ａを介して互いに噛合せて十文字状に組合せた格子間縦部材２０と格子間横部材３０とを、ボロン添加ステンレス鋼板（大）１２およびアルミニウム合金板（大）１３からなる１組の大型枠板４間に配置するとともに、凸部２６をボロン添加ステンレス鋼板（大）１２およびアルミニウム合金板（大）１３の孔２７，２８に挿入することにより、図５ａの右側に組立状態を示したように、噛合い溝２０ａ，３０ａに噛合い用凸部２６を挿入することによって、大型板枠４間に格子間縦部材２０と格子間横部材３０とを挿入させて配置させることができる。そして、大型板枠４間に一定の間隙を形成することができる。なお、図５には図示省略しているが、１対のボロン添加ステンレス鋼板（小）１４およびアルミニウム合金板（小）１５についても、ボロン添加ステンレス鋼板（大）１２およびアルミニウム合金板（大）１３と同様の構成を採用して、２枚１組の小型枠板５間にも格子間縦部材および格子間横部材を組込むことができる。図３には、小型枠板５間に格子間横部材３０を配置した構成を示している。
【００２５】
次に、格子組立体支持部材３の構成を説明する。
【００２６】
図１〜図３に示すように、格子組立体支持部材３は、格子組立体２の軸方向両端部に配置されて格子組立体２を支持する耐食性鋼材製の格子組立体端部支持板としての上部支持板６および下部支持板７と、格子組立体２の外周縁側に配置されて上部支持板６および下部支持板７同士を接続する複数の耐食性鋼材製接続部材８とを備えている。
【００２７】
上部支持板６は格子組立体２の上端部の上側に配置された例えば略円板状のものであり、格子組立体２の燃料収納室１００に連通する開口孔を有し、使用済燃料の挿抜を可能としている。この上部支持板６の周縁部には上方に向って立上る枠部６ａが設けられている。また、下部支持板７は格子組立体２の下端部の下側に配置された例えば略円板状に組合された複数部材からなり、使用済燃料の挿入端部を支持することができる構成となっている。
【００２８】
接続部材８は棒状またはパイプ状（図示の例ではパイプ状）のものであり、図２〜図４に示すように、格子組立体２の外周部における大型板枠４および小型板枠５の表面に沿って複数本配置され、上下方向に延在している。そして、各接続部材８の上下端部が上部支持板６および下部支持板７に図示省略の止具等により連結されている。
【００２９】
これらの接続部材８には、格子組立体２の外周縁に接する複数のアルミニウム合金製伝熱ブロック９がそれぞれ支持されている。これらの伝熱ブロック９は例えば中空多角形状の縦長なブロック体であり、軸方向に一定長を有し、例えば複数体が積層された構成となっている。そして、これらの伝熱ブロック９は格子組立体２の外面に形成された外側縦面である平坦面、角隅部等に対応した側面を有しており、伝熱ブロック９内の空間内に挿入された接続部材８により、伝熱ブロック９がそれぞれ格子組立体２の外周縁の多くの面に密着状態で接触している。このように、接続部材８は、それぞれ伝熱ブロック９を格子組立体２に固定する固定手段を兼用している。
【００３０】
また、図１および図４に示すように、格子組立体支持部材３は、接続部材８に鍔状に取付けられて格子組立体２の外周面を周方向に沿って支持する複数の耐食性材鋼材製の水平支持部材１１と、これらの水平支持部材１１間に交差配置で保持され格子組立体２の外周面を軸方向に沿って支持する複数の耐食性材鋼材製の縦支持部材１０とを備えている。
【００３１】
水平支持部材１１は、それぞれ平面視において伝熱ブロック９と略同一形状とされており、図１に示すように、格子組立体２の軸方向において伝熱ブロック９と交互に配置されている。また、縦支持部材１０は図２〜図４に示すように、例えば格子組立体２の外周縁に配置された各大型枠板４および各小型枠板５の略幅方向中間位置から突出する形で設けられている。
【００３２】
このように、格子組立体２の外周部に配置される複数の枠板４，５には、これらの枠板４，５の板面から略直角に外向きに突出する縦支持部材１０が設けられ、これらの縦支持部材１０は格子組立体２の軸方向全体に亘って延在している。また、各縦支持部材１０には、鍔状をなす複数枚の水平支持部材１１が格子組立体２の軸方向に沿って一定の間隔をあけて設けられている。そして、格子組立体２の外周には伝熱ブロック９が接続部材８に支持されて、格子組立体２の外縁に押し付けられている。
【００３３】
図６は、このように構成された本実施形態において、燃料収納具１の回転防止と格子組立体２の過大変形を防止するために、キャスク容器１０２に近接する格子組立体２の角部（ａ部）および格子組立体支持部材３における縦支持部材１０のキャスク容器１０２に近接する側（ｂ部）を、キャスク容器１０２に強固に取付け、もしくは成型加工により形成した同数の固定部材５０により支持する構造を示している。
【００３４】
このような本実施形態の構成によれば、燃料収納具１を支持するにあたり、種々の方向から受ける荷重を分散することができるので、燃料収納に対する信頼性を高めることが可能である。
【００３５】
また、本実施形態によれば、格子組立体支持部材３が、燃料装荷を妨げない開口を設けた上部支持板６と、ボロン添加ステンレス鋼版およびアルミニウム合金板で構成された格子組立体２を保持する下部支持板７と、これらを繋ぐパイプ状もしくは棒状の接続部材８と、この縦接続部材８に取付けられた格子組立体２の外周を支持する複数の縦支持部材１０およびこの縦支持部材１０に取付けられた水平支持部材１１により構成されている。
【００３６】
また、格子組立体支持部材３に使用する材料は、例えばステンレス鋼、低合金鋼や耐食性皮膜を施した鋼で構成している。このため、燃料収納具１を構成するにあたり、必要な高温強度や耐食性を保つとともに、高価なアルミ合金の使用量を大幅に削減することができるため、低コストの燃料収納具１を提供することができる。
【００３７】
そして、本実施形態によれば、ボロン添加ステンレス鋼版（小）１４およびアルミニウム合金板（小）１５の凸部２３，２４と、ボロン添加ステンレス鋼版（大）３およびアルミニウム合金板（大）１３の孔２７，２８との組合せによって、それぞれが互いに結合される。また、格子間縦支持部材２０の凸部２６はボロン添加ステンレス鋼版（大）１２もしくはアルミニウム合金板（大）１３に設けられた孔２７，２８と組合される。格子間横断部材３０は、格子間縦支持部材２０と噛合せにより組合される。さらに、このようにして組合された格子組立体２の全体を格子組立体支持部材３により拘束することによって燃料収納具１を構成する。
【００３８】
本実施形態によれば、格子組立体２を構成するあたり、溶接等による特別の固定手段を必要としないため、物量および組立工数を大幅に削減することが可能であり、低コストの燃料収納具１を提供することができる。
【００３９】
なお、上述した組合せ部および噛合せ部については、必要に応じて溶接および機械的締付等による手段を用いて固定することは許容される。
【００４０】
本実施形態によれば、ボロン添加ステンレス鋼版（小）１２とアルミニウム合金板（大）１３、ボロン添加ステンレス鋼版（小）１４とアルミニウム合金板（小）１５との組合せ、および格子間縦支持部材２０と格子間横断部材３０の組合せにより、格子組立体２を構成し、使用済燃料収納部を形成することができる。この構成により、ボロン添加ステンレス鋼版（大）１２、ボロン添加ステンレス鋼版（小）１４、縦支持部材１０および水平支持部材１１によって格子組立体２の強度を確保し、また、格子組立体支持部材３により格子組立体２の全体の形状を保持している。
【００４１】
また、ボロン添加ステンレス鋼版（小）１２およびボロン添加ステンレス鋼版（小）１４はボロンを含有している中性子吸収材であり、前述の方法により燃料収納室１００間の寸法および格子組立体２の形状が保持されているため、燃料収納室１００に収納された使用済燃料が臨界となることを防止することができる。
【００４２】
また、アルミニウム合金板（大）１３、アルミニウム合金板（小）１５、ボロン添加ステンレス鋼版（小）１２、ボロン添加ステンレス鋼版（小）１４、格子間縦支持部材２０および格子間横断部材３０をそれぞれ組合せて構成される格子組立体２は、これらの部材によりその内部の伝熱パスを確保することができる。また、格子組立体２の外周に設置されて格子組立体支持部材３の接続部材８により支持され、格子組立体２の外縁に押し付けられた伝熱ブロック９により、格子組立体２とキャスク容器１０２との間の伝熱パスを確保することができ、使用済燃料が発生する崩壊熱を外部に放熱することができる。
【００４３】
すなわち、使用済燃料を収納保持する手段を、ボロン添加ステンレス鋼製板およびアルミニウム合金製板を用いて縦横に交差させた格子組立体２としたことにより、簡易かつ組立の容易な構成として一体化することができるとともに、この格子組立体２を外側から支持してキャスク容器１０２内に支持する手段を、格子組立体２の軸方向両端部に対向配置された格子組立体端部支持板６，７、これらの格子組立体端部支持板６，７間に連結されて格子組立体２の周囲に配置された接続部材８、これらの接続部材８に支持されて格子組立体２の外縁に接するアルミニウム合金製の伝熱ブロック９により構成したことにより、格子組立体２とキャスク容器１０２との間の空間に構成部材を満たす必要が無く、物量を大幅に削減することが可能となり、低コストの燃料収納具１を提供することができる。
【００４４】
また、格子組立体２の形状を保持するための格子形状保持機能については、格子組立体自体を構成するボロン添加ステンレス鋼板製の枠板４，５と、格子組立体支持部材３を構成する耐食性鋼材製の格子組立体端部支持板６，７と、格子組立体２の外周縁側に配置されて格子組立体端部支持板同士を接続する複数の耐食性鋼材製接続部材８とにより担保させ、一方、燃料収納具１とキャスク容器１０２との間の伝熱性能を確保するための伝熱性能確保機能を伝熱ブロック９により担保させる構成としたことにより、格子組立体の格子形状保持機能と、燃料収納具・キャスク容器間の伝熱性能確保機能とを、互いに分割して担保させることができ、構成材の物量低減、構成簡素化および製作容易化等を図り、要求される強度および性能を低コストで得ることができる。
【００４５】
なお、以上の実施形態では、格子組立体２をボロン添加ステンレス鋼製板１２，１４とアルミニウム合金製板１３，１５とを重ね合わせた重合枠板同士を交差させて構成したが、本発明はこのような構成に限られない。
【００４６】
例えば、図７に示したように、重合枠板の一部をボロン添加ステンレス鋼製板のみからなる単板枠板１７に置換えて構成することも可能である。すなわち、格子組立体２に収納される使用済燃料の発熱量に見合う放熱量を得られるように、詳細な伝熱計算を実施することにより、前記実施形態で適用したアルミニウム合金板（大）１３とアルミニウム合金板（小）１５の配備数量を削減することができ、さらに低コストの燃料収納具１を提供することができる。
【図面の簡単な説明】
【００４７】
【図１】本発明の一実施形態に適用する燃料収納具を一部断面にて示す全体側面図。
【図２】図１のＡ−Ａ線に沿う横断面図。
【図３】図２の一部を拡大して示す拡大断面図。
【図４】図１のＢ−Ｂ線に沿う横断面図。
【図５】図２に示した格子組立体の構成部材を示す分解斜視図。
【図６】前記燃料収納具のキャスク容器への収納状態を示す横断面図。
【図７】本発明の他の実施形態を示す拡大断面図。
【図８】使用済燃料キャスクの一例を示す概略断面図。
【符号の説明】
【００４８】
１‥燃料収納具、２‥格子組立体、３‥格子組立体支持部材、４‥大型板枠、５‥小型板枠、６‥格子組立体端部支持板（上部支持板）、７‥格子組立体端部支持板（下部支持板）、８‥接続部材、９‥伝熱ブロック、１０‥縦支持部材、１１‥水平支持部材、１２‥ボロン添加ステンレス鋼版（小）、１３‥アルミニウム合金板（大）、１４‥ボロン添加ステンレス鋼版（小）、１５‥アルミニウム合金板（小）、１７‥単板枠板、２０‥格子間縦支持部材、２１，２２，２７，２８‥孔、２３，２４，２６‥凸部、３０‥格子間横断部材、１００‥燃料収納室、１０１‥使用済燃料キャスク、１０２‥キャスク容器、１０２ａ‥外筒、１０２ｂ‥内筒、１０２ｃ‥蓋、１０３‥燃料収納具。
【図１】
2008281437.tif 000003
【図２】
2008281437.tif 000004
【図３】
2008281437.tif 000005
【図４】
2008281437.tif 000006
【図５】
2008281437.tif 000007
【図６】
2008281437.tif 000008
【図７】
2008281437.tif 000009
【図８】
2008281437.tif 000010